(57)【要約】【課題】ランプの取り付けや取り外し作業における安全性並びに作業性の向上を図ることができるとともに、ソケットの種別に拘わらず適用できる口金を提供する。【解決手段】口金１ａは、ランプ本体５の端部に固定される口金ベース部２２と、口金先端部２３とを有し、口金先端部２３は口金ベース部２２に結合される胴部２４と、一対の端子２０ａ、２０ｂを有する端子支持部２５とを有している。一対の端子２０ａ、２０ｂの間であって端子支持部２５の先端面の略中心には開口部２５ｂが形成され、圧縮スプリング２７の付勢力で突出部材２６が外部に突出している。ソケットの端子挿入孔に一対の端子２０ａ、２０ｂを挿入して装着すると、ソケットに押圧されて突出部材２６が退避し、所定位置でスイッチがＯＮとなりランプ本体５が点灯する。【選択図】図４
2016149208.tif 000002
【特許請求の範囲】
【請求項１】
棒状のランプ本体の端部に設けられ、灯器具のソケットに装着される給電用の一対の端子を備えた口金であって、
一端側が前記ランプ本体の端部に取り付けられ、他端側から前記一対の端子が突出するハウジングと、
前記一対の端子と前記ランプ本体との間を導通させて前記ランプ本体を点灯させるためのスイッチと、
一部が外部に突出した状態で前記ハウジング内に設けられ、前記一対の端子を前記ソケットに装着するときには前記一部が前記ソケットに押圧されることにより前記一部が前記ハウジング内に埋没するように退避可能であり、前記一対の端子を前記ソケットから取り外したときには前記一部が突出した状態に復帰する可動部材と、
を備え、
前記スイッチは、前記可動部材の前記一部が突出した位置でオフし、前記可動部材の前記一部が退避した位置でオンするように構成され、
前記可動部材の前記一部は、前記ハウジングの前記ソケットに対向する面の略中心に位置する口金。
【請求項２】
棒状のランプ本体の端部に設けられ、灯器具のソケットに装着される給電用の一対の端子を備えた口金であって、
一端側が前記ランプ本体の端部に取り付けられ、他端側から前記一対の端子が突出するハウジングと、
前記一対の端子と前記ランプ本体との間を導通させて前記ランプ本体を点灯させるためのスイッチと、
一部が外部に突出した状態で前記ハウジング内に設けられ、前記一対の端子を前記ソケットに装着するときには前記一部が前記ソケットに押圧されることにより前記一部が前記ハウジング内に埋没するように退避可能であり、前記一対の端子を前記ソケットから取り外したときには前記一部が突出した状態に復帰する可動部材と、
を備え、
前記スイッチは、前記可動部材の前記一部が突出した位置でオフし、前記可動部材の前記一部が退避した位置でオンするように構成され、
前記可動部材の前記一部は、前記ソケットの前記一対の端子を挿入する部分が突出した構成を有している場合には、該突出部分に当接する位置に設けられている口金。
【請求項３】
棒状のランプ本体の端部に設けられ、灯器具のソケットに装着される給電用の一対の端子を備えた口金であって、
一端側が前記ランプ本体の端部に取り付けられ、他端側から前記一対の端子が突出するハウジングと、
前記一対の端子と前記ランプ本体との間を導通させて前記ランプ本体を点灯させるためのスイッチと、
一部が外部に突出した状態で前記ハウジング内に設けられ、前記一対の端子を前記ソケットに装着するときには前記一部が前記ソケットに押圧されることにより前記一部が前記ハウジング内に埋没するように退避可能であり、前記一対の端子を前記ソケットから取り外したときには前記一部が突出した状態に復帰する可動部材と、
を備え、
前記スイッチは、前記可動部材の前記一部が突出した位置でオフし、前記可動部材の前記一部が退避した位置でオンするように構成され、
前記可動部材の前記一部は、前記一対の端子の間に位置する口金。
【請求項４】
請求項１〜３のいずれか１つに記載の口金において、
前記可動部材は、前記一部を備え前記ランプ本体の長手方向にスライド可能な可動体と、該可動体を前記一部が突出するように付勢する付勢手段とからなる口金。
【請求項５】
請求項１〜４のいずれか１つに記載の口金において、
前記ハウジングが、前記ランプ本体の端部に取り付けられる口金ベース部と、前記一対の端子を有する口金先端部とを有し、前記口金ベース部と前記口金先端部とは相対的に周方向に回転可能である口金。
【請求項６】
請求項５に記載の口金において、
前記口金ベース部と前記口金先端部とのいずれか一方には、互いに向かい合った状態で押し込んだときに弾性変形によって両者を結合する爪部材が設けられている口金。
【請求項７】
請求項５又は６に記載の口金において、
前記周方向の回転を許容するとともに、所定の位置でロックする回転ストッパ部材を有している口金。
【請求項８】
請求項５〜７のいずれか１つに記載の口金において、
前記口金ベース部と前記口金先端部とに、前記周方向の回転位置を所定の角度に設定するためのマークが設けられている口金。
【請求項９】
棒状のランプ本体と、
前記ランプ本体内に配置された半導体発光素子と、
前記ランプ本体の両端部に設けられた、請求項１〜８のいずれか１つに記載の口金と、
を有する直管形ＬＥＤランプ。
【請求項１０】
請求項９に記載の直管形ＬＥＤランプと、該直管形ＬＥＤランプを装着する灯器具とを備えた照明装置。
【発明の詳細な説明】
【技術分野】
【０００１】
本発明は、口金、直管形ＬＥＤランプ及び照明装置に関する。
【背景技術】
【０００２】
近年、光源にＬＥＤ（Light Emitting Diode）を用いたＬＥＤランプが普及している。
ＬＥＤランプにおいては、従来の照明器具と比べて消費電力や二酸化炭素の排出量を大幅に低減できるとともに、製品寿命も大幅に拡大できる利点がある。このため、従来の蛍光灯に代替する照明器具として直管形ＬＥＤランプが注目されている。
【０００３】
両側給電方式である既存の蛍光灯器具を、安定器についての工事をすることなくそのまま用いるタイプでは、蛍光灯器具への直管形ＬＥＤランプの取り付け時、あるいは蛍光灯器具からの取り外し時に、作業者が電流が流れている口金の端子に手で触れる可能性を否めない。
この問題に対処すべく、特許文献１には、口金の外面に付勢力で突出する操作体を備え、口金の端子がソケットに挿入されるときのソケットとの当接圧で操作体が所定位置まで押し込まれたときに導通させるスイッチを内蔵した直管形ＬＥＤランプが提案されている。
口金の端子がソケットに完全に挿入されない状態、すなわち操作体が所定位置まで押し込まれない状態では導通せず、これにより取り付け時の安全性を確保するものである。
取り外し時には、口金の端子がソケットから外されると同時に操作体が付勢力で突出し、スイッチがオフとなる。
操作体は、直管形ＬＥＤランプの両側の口金の端子をソケットの溝に同時に挿入して回転させるタイプの蛍光灯器具にも対応できるように、端子よりも外周寄りの一箇所に端子と直列になるように配置されている。
【発明の概要】
【発明が解決しようとする課題】
【０００４】
この種の蛍光灯器具のソケット形状としては種々のものがある。一般的には口金の端子を差し込む面が平面のものが多いが、図１６に示すように、口金の端子を差し込む面が部分的にランプ長手方向に突出した凸型タイプのものもある。
図１６（ａ）において、符号１５０ａは灯器具１５０の両側に固定されたソケット本体を、１５１はソケット本体１５０ａにランプ長手方向に付勢力下で変位可能に設けられた支持部を、１５２は支持部１５１からランプ長手方向に突出した端子挿入部を示している。
このような凸型ソケットに特許文献１に記載の口金を有する直管形ＬＥＤランプを取り付けようとした場合、図１６（ｂ）、（ｃ）に示すように、口金１５３の端子を端子挿入部１５２に挿入した状態で、ソケット本体１５０ａと口金１５３との間に隙間ｇが存在する。
操作体１５４は端子挿入部１５２と当接せずに隙間ｇに位置するため突出したままとなり、端子挿入後もスイッチはオンとならない。
【０００５】
隙間ｇが存在する場合でもスイッチがＯＮするように操作体１０５を長くした場合、端子の長さに比べて操作体１５４が長くなり過ぎ、外観の見劣りによる商品価値の低下を来たすとともに、端子挿入に係る作業性の低下を来たす懸念もある。
適用対象を凸型タイプのソケット以外に限定した場合、商品としての使用範囲が狭くなる。
【０００６】
本発明は、このような現状に鑑みてなされたもので、ランプの取り付けや取り外し作業における安全性並びに作業性の向上を図ることができるとともに、ソケットの種別に拘わらず適用できる口金の提供を、その主な目的とする。
【課題を解決するための手段】
【０００７】
上記目的を達成するために、本発明は、棒状のランプ本体の端部に設けられ、灯器具のソケットに装着される給電用の一対の端子を備えた口金であって、一端側が前記ランプ本体の端部に取り付けられ、他端側から前記一対の端子が突出するハウジングと、前記一対の端子と前記ランプ本体との間を導通させて前記ランプ本体を点灯させるためのスイッチと、一部が外部に突出した状態で前記ハウジング内に設けられ、前記一対の端子を前記ソケットに装着するときには前記一部が前記ソケットに押圧されることにより前記一部が前記ハウジング内に埋没するように退避可能であり、前記一対の端子を前記ソケットから取り外したときには前記一部が突出した状態に復帰する可動部材と、を備え、前記スイッチは、前記可動部材の前記一部が突出した位置でオフし、前記可動部材の前記一部が退避した位置でオンするように構成され、前記可動部材の前記一部は、前記ハウジングの前記ソケットに対向する面の略中心に位置する。
【発明の効果】
【０００８】
本発明によれば、ランプの取り付けや取り外し作業における安全性並びに作業性の向上を図ることができるとともに、ソケットの種別に拘わらず適用できる。
【図面の簡単な説明】
【０００９】
【図１】本発明の一実施形態に係る照明装置の分解斜視図である。
【図２】ランプ本体の分解斜視図である。
【図３】ランプ本体を図２とは反対側から見た斜視図である。
【図４】直管形ＬＥＤランプの一方側の口金を示す図で、（ａ）は斜視図、（ｂ）は（ａ）のＢ−Ｂ線での断面図である。
【図５】直管形ＬＥＤランプの一方側の口金を示す図で、（ａ）は突出部材を押し込んだ状態の斜視図、（ｂ）は図４（ｂ）と同様の断面図である。
【図６】直管形ＬＥＤランプの一方側の口金を示す図で、（ａ）は一体に結合する前の斜視図、（ｂ）は口金先端部の分解斜視図である。
【図７】第２端子部材を示す斜視図で、（ａ）はスイッチＯＦＦ状態を示す図、（ｂ）はスイッチＯＮ状態を示す図である。
【図８】第２端子部材の一方を示す分解斜視図である。
【図９】突出部材とスイッチとの関係を示す図で、（ａ）はスイッチＯＦＦ時の断面斜視図、（ｂ）は断面部分の拡大図である。
【図１０】突出部材とスイッチとの関係を示す図で、（ａ）はスイッチＯＮ時の断面斜視図、（ｂ）は断面部分の拡大図である。
【図１１】スイッチＯＦＦ時の端子間の最短空間距離を示す断面図である。
【図１２】直管形ＬＥＤランプの一方側の口金をソケットに装着した状態を示す図で、（ａ）は斜視図、（ｂ）は側面図である。
【図１３】直管形ＬＥＤランプの一方側の口金の概要縦断面図である。
【図１４】ＬＥＤの照射面位置の変更構成を示す図で、（ａ）は口金の正面図、（ｂ）は回転ストッパ部材の操作片を引き下げた状態の正面図、（ｃ）は口金先端部を回転させる方向を示す正面図、（ｄ）は回転ストッパ部材による回転不可状態を示す（ａ）のＤ−Ｄ線断面での要部斜視図、（ｅ）は回転可能状態を示す（ａ）のＤ−Ｄ線断面での要部斜視図である。
【図１５】口金先端部の回転範囲を示す図１３のＣ−Ｃ線での図で、（ａ）は０°位置での斜視図、（ｂ）は−９０°回転した状態の斜視図、（ｃ）は＋９０°回転した状態の斜視図、（ｄ）、（ｅ）は９０°以上回転することができない構成を示す要部斜視図である。
【図１６】従来の口金構成では使用できないことを説明するための図で、（ａ）は凸型ソケットを示す斜視図、（ｂ）は従来の口金をソケットに装着した状態の斜視図、（ｃ）はその側面図である。
【発明を実施するための形態】
【００１０】
以下、本発明の一実施形態を図を参照して説明する。
図１は、照明装置２００の外観を示す分解斜視図である。照明装置２００は、直管形ＬＥＤランプ１００と、直管形ＬＥＤランプ１００を装着する照明器具（以下、「灯器具」ともいう）１５０とを備えている。
直管形ＬＥＤランプ１００は、細長い棒状のランプ本体５と、ランプ本体５の両端部に設けられた口金１ａ、１ｂとを備えている。
灯器具１５０は、蛍光灯を点灯させるための既存の器具と同じものであり、ソケット１５０ａ、１５０ｂの穴位置に合わせて直管形ＬＥＤランプ１００の口金１ａ、１ｂに備えられた給電用の端子を差し込んで装着する構成を有している。
ソケットへの端子挿入後、口金１ａ、１ｂに内蔵のスイッチを作業者がＯＮ（オン）状態にすると、ソケットから給電される商業用電流が端子を介してランプ本体５内のＬＥＤに流れ、ランプ本体５が点灯する。
【００１１】
図２に示すように、ランプ本体５は、断面が半円形の筒状の筐体２と、透光性のカバー３とから構成されている。
筐体２は、放熱効率を高めるために熱伝導率の大きい金属材料で形成されており、筐体２とカバー３との一体構成の外形は円筒形状となる。
筐体２の平坦部の外側であって、カバー３の内方には、カバー３に対向して、実装基板としてのＬＥＤ基板１１が粘着性を有するシート１０を介して固定されている。
ＬＥＤ基板１１は細長い長方形状のプリント基板であり、ＬＥＤ基板１１ａとＬＥＤ基板１１ｂとから構成されている。
ＬＥＤ基板１１ａ、１１ｂにはそれぞれ、ＥＬ効果を持つ半導体発光素子（光源）の一例としてのＬＥＤ１２ａ、１２ｂが筐体２の長手方向に所定の間隔で複数実装されている。
【００１２】
図３に示すように、筐体２の平坦部の内側には、筐体２の長手方向に延びる細長い長方形状の電源基板７が配置されており、その実装面には直流電源変換用の電子部品９が長手方向に間隔をおいて複数搭載されている。
電源基板７はクランプ１５で筐体２に固定されている。
電子部品９によって直流に整流された電流は、図示しないリード線を通してＬＥＤ基板１１ａ、１１ｂに供給される。
口金１ａ、１ｂに接続されたコネクタから延びるリード線６ａ、６ｂを介して電源基板７に電流が供給される。
口金１ａ、１ｂに内蔵される後述のスイッチは、ソケットに挿入される端子とリード線６ａ、６ｂとを電気的に接続する機能を有している。
【００１３】
図４（ａ）に示すように、口金１ａは、一端側がランプ本体５の端部に取り付けられ、他端側から一対の端子２０ａ、２０ｂが突出するハウジング２１を有している。
ハウジング２１は、ランプ本体５の端部に取り付けられる口金ベース部２２と、口金ベース部２２に対して周方向の位置を変えることが可能な口金先端部２３とから構成されている。
口金先端部２３は、口金ベース部２２に結合される胴部２４と、一対の端子２０ａ、２０ｂが固定された円筒状の端子支持部２５とから構成されている。
端子支持部２５のソケットに対向する面である先端面（底面）２５ａの略中心には、開口部２５ｂが形成されており、開口部２５ｂから後述する可動部材３６の一部としての突出部材２６が外部に突出している。
換言すれば、突出部材２６は一対の端子２０ａ、２０ｂ間に位置している。
【００１４】
図４（ｂ）に示すように、口金先端部２３の内部には付勢部材としての２本の圧縮スプリング２７が設けられており、突出部材２６は圧縮スプリング２７の付勢力で一対の端子２０ａ、２０ｂの突出方向に付勢されている。
【００１５】
図５（ａ）に示すように、突出部材２６に外力が作用すると、換言すれば、ソケットに装着するときにソケットに当接して押圧されることにより、突出部材２６はハウジング２１内に埋没するように退避可能である。
図６（ａ）に示すように、口金先端部２３を、ランプ本体５の端部にねじで固定された口金ベース部２２に押し込むことによりワンタッチ操作で結合できるようになっている。
具体的には、口金先端部２３側に設けられた爪部材２４ａが口金ベース部２２側の環状凸部に係合することにより、図４（ｂ）等に示すように、口金先端部２３と口金ベース部２２とが一体的に結合される。
本実施形態ではワンタッチ操作による結合構成の爪部材２４ａを口金先端部２３側に設ける構成としたが、口金ベース部２２側に設けてもよい。
すなわち、爪部材２４ａは口金ベース部２２と口金先端部２３との両者を弾性変形によって結合する部材であり、口金ベース部２２と口金先端部２３とのいずれか一方に設けることができる。
【００１６】
図６（ｂ）に示すように、口金先端部２３内には、突出部材２６と圧縮スプリング２７の他に、スイッチとしての第２端子部材２８、スライダ２９、スプリング受台３０、口金ベース部２２に対する口金先端部２３の回転位置を規制する回転ストッパ部材３１が収容されている。
圧縮スプリング２７、スプリング受台３０、スライダ２９及び突出部材２６により、本実施形態における可動部材３６が構成されている。
スプリング受台３０、スライダ２９及び突出部材２６により、本実施形態におけるスライド可能な可動体が構成されている。
【００１７】
胴部２４には口金ベース部２２側に向けて突出する一対の爪部材２４ａ、２４ａが一体に形成されている。
端子支持部２５は２本の係合爪２５ａを有しており、係合爪２５ａが胴部２４の内部の凸縁に係合することにより、胴部２４と端子支持部２５とが一体化される。
【００１８】
第２端子部材２８は、図７に示すように、第１端子としての端子２０ａに対応する第２端子部３２ａと、第１端子としての端子２０ｂに対応する第２端子部３２ｂとから構成されている。
図８に示すように、第２端子部３２ｂは、リード線６ａに接続される接続片３３ａを有する支持体３３と、支持体３３の湾曲部３３ｂに係合する第２端子３４と、第２端子３４を回転可能に支持体３３に結合する支持軸３５とから構成されている。
第２端子部３２ａも同様の構成を有している。
図７に示すように、端子２０ａには接触片２０ａ−１が接続され、端子２０ｂには接触片２０ｂ−１が接続されている。
【００１９】
図７（ａ）はスイッチＯＦＦの状態を、図７（ｂ）はスイッチＯＮの状態を示している。
図９に示すように、ソケットに装着する前は可動部材３６の突出部材２６が端子支持部２５の開口部２５ｂから突出し、スイッチはＯＦＦ（オフ）となっている。
このとき、第２端子部材２８の第２端子３４、３４はそれぞれ、図９（ｂ）に示すように、スライダ２９とスプリング受台３０との係合により上方に回動し、接触片２０ａ−１、接触片２０ｂ−１とは離間している。
図１０に示すように、凸型タイプのソケットに装着すると、突出部材２６が端子挿入部１５２に当接し、当接圧で圧縮スプリング２７の付勢力に逆らってハウジング２１の内方へ押し込まれる。
【００２０】
第２端子部材２８の第２端子３４、３４は突出部材２６で押圧されて端子２０ａ、２０ｂ側へ回動し、接触片２０ａ−１、接触片２０ｂ−１と接触してスイッチはＯＮとなり、一対の端子２０ａ、２０ｂとランプ本体５間が導通する。
ソケットから取り外すと、圧縮スプリング２７の弾性力で突出部材２６が外部に突出する状態に可動部材３６が復帰し、スイッチが自動的にＯＦＦとなる。
図９（ａ）、図１０（ａ）に示すように、胴部２４にはリード線６ａ、６ｂを有するコネクタ３７が収容されている。
図１０（ｂ）に示すように、本実施形態における突出部材２６は、突出方向後端部が円形状で突出方向に向かって徐々に細くなる先端形状を有している。
この形状により突出部材２６は、最初は開口部２５ｂから内方へ延びるガイド２５ｃによって真っすぐに移動するが、後端部がガイド２５ｃを過ぎると倒れ、短い移動距離で先端が完全に開口部２５ｂ内に収容される。
【００２１】
突出部材２６が所定の位置、すなわち完全にハウジング２１内に埋没する位置でスイッチがＯＮするように構成されており、作業者が装着作業中に突出部材２６を中途半端に押し込んでもスイッチはＯＮとはらない。
また、突出部材２６が端子支持部２５の先端面２５ａの略中心、換言すれば一対の端子２０ａ、２０ｂ間において端子の中心を結んだ線上に位置するので、特許文献１に記載の操作体のように外周寄りに偏った位置にある場合に比べて作業者が誤って押し込む危険性も少ない。
【００２２】
端子支持部２５の外径等、口金１ａの寸法はＪＩＳ規格の蛍光灯規格に対応した寸法となっている。
すなわち、口金先端部２３の外径は２５．７８ｍｍ以下であり、長さは８．７１ｍｍ以上である。従ってＪＩＳ規格のφ２６の蛍光灯規格に対応している。
図１１に示すように、スイッチＯＦＦ時の第１の端子２０ａ、２０ｂと第２端子３４との最短空間距離ｗは３ｍｍ以上に設定されており、スイッチとしての規格も満たしている。
【００２３】
突出部材２６は、ソケットに対向する面である端子支持部２５の先端面２５ａの略中心に位置するので、図１２に示すように、端子挿入部１５２が突出した凸型タイプのソケットに対しても適合する。
端子挿入部１５２の端子挿入孔に端子２０ａ、２０ｂの位置を合わせて押し込むと、突出部材２６は突出方向と逆向きにランプ本体５の軸方向内方に移動し、相対的に端子２０ａ、２０ｂのみが端子挿入部１５２の端子挿入孔に進入する。
突出部材２６が端子支持部２５の先端面２５ａの略中心に位置するので、特許文献１の操作体の如く端子挿入部１５２との当接が外れることはなく、突出部材２６は確実に退避してスイッチＯＮとなる。
これにより、ソケットの種別に拘わらず使用可能となる。
【００２４】
端子支持部２５の先端面２５ａにおける突出部材２６の位置は略中心に限定されない。端子挿入部が突出している場合には突出部分としての該端子挿入部の一部に当接して突出部材２６が退避することが可能な位置であればよい。
【００２５】
図１３乃至図１５に基づいて、ＬＥＤの照射面を任意の位置に設定できる構成について説明する。
図４（ｂ）に示すように圧縮スプリング２７の一端は回転ストッパ部材３１のバネ受部３１ａに嵌合している。このため、回転ストッパ部材３１は圧縮スプリング２７で口金ベース部２２側へ付勢されている。
図１３に示すように、口金先端部２３をランプ本体５の端部に固定された口金ベース部２２に押し込むことにより、口金先端部２３側に設けられた爪部材２４ａが口金ベース部２２側の環状凸部に係合する。
これにより、上述のように、口金先端部２３と口金ベース部２２とがワンタッチ操作で一体的に結合される。
【００２６】
口金先端部２３は口金ベース部２２に対して左右のいずれの周方向にも回転可能となっている。
図６（ｂ）に示すように、口金先端部２３の周方向の回転を許容する回転ストッパ部材３１は両側に操作片３１ｂを有しており、操作片３１ｂは胴部２４のガイド溝２４ｂに嵌合し、口金先端部２３の外面に露出している。
回転ストッパ部材３１は、操作片３１ｂと逆方向に延びる二股の係合部３１ｃも有している。
図１４（ａ）は回転ストッパ部材３１の操作片３１ｂが胴部２４のガイド溝２４ｂに収容されている状態を示している。この状態では図１４（ｄ）に示すように、回転ストッパ部材３１の係合部３１ｃが口金ベース部２２のリブ２２ａに係合しており、口金ベース部２２に対して口金先端部２３を回転させることはできない。
【００２７】
図１４（ｂ）に示すように、圧縮スプリング２７の付勢力に逆らって操作片３１ｂを介して回転ストッパ部材３１を端子支持部２５側へ押し下げると、図１４（ｅ）に示すようにリブ２２ａと係合部３１ｃとの係合が外れる。
図１４（ｃ）に示すように、回転ストッパ部材３１を押し下げた状態で口金先端部２３を所望の照射面位置に回し、操作片３１ｂを放す。回転ストッパ部材３１が圧縮スプリング２７の付勢力で元に戻ると係合部３１ｃが再びリブ２２ａに係合し、口金先端部２３は口金ベース部２２に対して回転をロックされる。
口金ベース部２２と、口金先端部２３の胴部２４とには、口金ベース部２２に対する口金先端部２３の回転位置を決めるためのマークＭ１、Ｍ２が形成されており、所定の角度で位置決めできるようになっている。
【００２８】
図１５（ａ）は口金ベース部２２に対し口金先端部２３が０°の基準位置に設定されている状態を示している。口金先端部２３の回転角度は左右方向にそれぞれ最大±９０°である。
図１５（ｂ）に示すように、口金先端部２３を右側に−９０°回転させると、図１５（ｄ）に示すように胴部２４の突縁２４ｃ（図６（ｂ）参照）が口金ベース部２２のリブ２２ａに突き当たり、それ以上は回転できない。
図１５（ａ）の位置を基準にして口金先端部２３を左側に＋９０°回転させると、図１５（ｃ）に示すように胴部２４の突縁２４ｃが口金ベース部２２のリブ２２ａに突き当たり、それ以上は回転できない。
【００２９】
本実施形態では３０°ステップの７段階に照射面の角度調整ができるようになっている。
一定角度以上には回転できない構成とすることにより、口金内のハーネスが必要以上に捩れて破断するのを防ぐ効果がある。
上述した口金１ａついての構成、操作及び動作は他方の口金１ｂにおいても同様である。
【００３０】
上記各実施形態では、ランプ本体５の両端部に取り付けられる口金１ａ、１ｂの構成を同じものとしたが、ランプ本体５の一端と他端とで構成が異なる口金としてもよい。
例えば、ランプ本体５の一端側の口金は端子が常時突出した装着しやすいものとし、他端側の口金を上記した安全性の高い口金としてもよい。
すなわち、本発明に係る直管形ＬＥＤランプは、ランプ本体５の少なくとも一端部に上記構成の口金を有していればよい。
【００３１】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００３２】
１ａ、１ｂ  口金
５  ランプ本体
１２ａ、１２ｂ  半導体発光素子としてのＬＥＤ
２０ａ、２０ｂ  一対の端子
２１  ハウジング
２４ａ  爪部材
２７  付勢部材としての圧縮スプリング
３１  回転ストッパ部材
３６  可動部材
１００  直管形ＬＥＤランプ
１５０  灯器具としての照明器具
１５１ａ、１５１ｂ  ソケット
２００  照明装置
Ｍ１、Ｍ２  マーク
【先行技術文献】
【特許文献】
【００３３】
【特許文献１】特許第４９７６５７９号公報
【図１】
2016149208.tif 000003
【図２】
2016149208.tif 000004
【図３】
2016149208.tif 000005
【図４】
2016149208.tif 000006
【図５】
2016149208.tif 000007
【図６】
2016149208.tif 000008
【図７】
2016149208.tif 000009
【図８】
2016149208.tif 000010
【図９】
2016149208.tif 000011
【図１０】
2016149208.tif 000012
【図１１】
2016149208.tif 000013
【図１２】
2016149208.tif 000014
【図１３】
2016149208.tif 000015
【図１４】
2016149208.tif 000016
【図１５】
2016149208.tif 000017
【図１６】
2016149208.tif 000018